(57)【要約】      （修正有）【課題】使いやすく、短時間にアルバム編集ができ、ページ内に複数の大きさの写真を貼り付けることが可能である貼着部を有するアルバムを提供する。【解決手段】表紙１１と、裏表紙１２と、前記表紙と前記裏表紙に接合された背表紙１４と、互いに連綴されて上記表紙と上記裏表紙との間に配置されると共に上記表紙及び上記裏表紙に固定され写真等を貼着可能な複数枚の台紙１３とを備えたアルバムであって、上記台紙上に、剥離可能な保護紙で被覆された再貼着可能な貼着部１６を有する。【選択図】図２
0003130788.tif 000002
【実用新案登録請求の範囲】
【請求項１】
表紙と、裏表紙と、前記表紙と前記裏表紙に接合された背表紙と、互いに連綴されて上記表紙と上記裏表紙との間に配置されると共に上記表紙及び上記裏表紙に固定され写真等を貼着可能な複数枚の台紙とを備えたアルバムであって、
上記台紙上に、剥離可能な保護紙で被覆された再貼着可能な貼着部を有することを特徴とするアルバム。
【請求項２】
上記貼着部は、任意の写真サイズに形成されていることを特徴とする請求項１記載のアルバム。
【請求項３】
上記台紙は、上記貼着部が複数箇所に設けられていることを特徴とする請求項２記載のアルバム。
【考案の詳細な説明】
【技術分野】
【０００１】
本考案は、アルバムに係り、特に、再貼着可能な貼着部を有するアルバムに関する。
【背景技術】
【０００２】
従来のアルバムは、貼着部を有する台紙と写真保護用透明シートとを備え、台紙上に貼着している写真保護用透明シートを台紙から剥がし、貼着部に写真を貼り付け、その後、剥がした写真保護用透明シートを再度写真に被せて台紙に貼り付けることにより、写真を写真保護用透明シートにより被覆した状態で台紙上に固定するようにしている。
【０００３】
この場合、従来の写真保護用透明シートは周囲の気温や湿度に影響を受けやすく、その結果写真保護用透明シートにカールや小皺や小波が生じることも多いため、写真貼着時の作業性や美観上の点から問題が多い。また、写真保護用透明シートで押さえて固定するため、台紙上の貼り付けた写真の周囲に写真保護透明シートで貼着するための貼着部を設けることが必要であった。
【考案の開示】
【考案が解決しようとする課題】
【０００４】
しかしながら、デジタルカメラ及びパソコン及びプリンタが一般的に普及している昨今において、印刷した写真をすぐにアルバムに貼り付けて編集し、オリジナル写真集を容易かつ短時間で製作したい、という要望が存在する。
さらに、このオリジナル写真集の再編集を容易かつ短時間にできるのであれば、アルバム写真集を編集する楽しみも増すものである。そして、ページを分割して写真を貼り付けることが可能であれば、アルバム編集に多様性が生まれ編集する楽しみも増す。
【０００５】
このような実情がある一方で、台紙上の写真保護用シートを剥がし写真を貼り付け、再度写真保護用シートを貼り付けることは、作業性の観点から煩雑である。
また、一度貼り付け編集したアルバムの写真の位置を入れ替えて再編集しようと思った場合であっても、写真保護用透明シートに被覆された写真を再度剥がして再編集することも同様に煩雑である。
【０００６】
さらに、写真保護透明シートで貼着するための貼着部を台紙上に設ける必要があるので、アルバム自体の大きさが貼着する写真の大きさに比べて、ある程度大きくならざるをえず、収納面及び携帯面においても不便であった。
そして、写真保護透明シートを有し、台紙に写真保護透明シートで貼着するための貼着部を設けることでアルバム自体の大きさが大きくなることから、製造コストも増していた。
【０００７】
本考案は上述した課題を解決するものであり、使いやすく、短時間にアルバム編集ができ、容易にアルバム再編集ができ、さらに、ページ内に複数の大きさの写真を貼り付けることが可能である貼着部を有し、収納面及び携帯面で利便性が高く、製造コストを削減することができるアルバムを提供することを課題とするものである。
【課題を解決するための手段】
【０００８】
上記課題を解決するために、請求項１記載の考案にあっては、表紙と、裏表紙と、前記表紙と前記裏表紙に接合された背表紙と、互いに連綴されて上記表紙と上記裏表紙との間に配置されると共に上記表紙及び上記裏表紙に固定され写真等を貼着可能な複数枚の台紙とを備えたアルバムであって、上記台紙上に、剥離可能な保護紙で被覆された再貼着可能な貼着部を有することを特徴とする。
従って、再貼着可能な貼着部を有するので、写真の繰り返しの剥離貼着が可能である。
【０００９】
また、請求項２記載の考案にあっては、上記貼着部は、任意の写真サイズに形成されていることを特徴とする。
従って、上記貼着部の大きさによって、様々なサイズの写真の貼着が可能となる。
【００１０】
請求項３記載の考案にあっては、上記台紙の写真貼着面部には、上記貼着部が複数箇所に設けられていることを特徴とする。
従って、本考案に係るアルバムにおいては、任意の写真サイズの貼着部が複数個所に設けられていることから、１つの貼着部を使用して１枚の写真の貼着が可能であることはもちろん、複数の貼着部を使用して大きいサイズの写真の貼着が可能である。
【考案の効果】
【００１１】
従って、請求項１〜３記載の考案にあっては、上述のように本考案のアルバムによれば、容易かつ短時間にアルバム編集ができ、写真の繰り返しの剥離貼着が可能であって、かつ容易にアルバム再編集ができ、さらにページ内で複数の大きさの写真を貼ることができることによるアルバム編集の多様性を得られるので、使いやすく楽しみながらアルバム編集の出来るアルバムを提供することが可能である。
【００１２】
そして、台紙に写真保護透明シートで貼着するための貼着部を設ける必要がなく、アルバム自体の大きさを抑えることができるため、収納面、携帯面も有利となり、製造コスト削減の効果も得られる。
さらには、従来のアルバムのように写真保護透明シートを使用していないことから製造コスト削減という効果も得られる。
【考案を実施するための最良の形態】
【００１３】
以下、図面を用いて本考案の実施の形態について説明する。
図１に示すように、本実施の形態に係るアルバム１０は、表紙１１と、裏表紙１２と、前記表紙１１と前記裏表紙１２に接合された背表紙１４と、互いに連綴されて上記表紙１１と上記裏表紙１２との間に配置されると共に上記表紙１１及び上記裏表紙１２に固定され写真等を貼着可能な複数枚の台紙１３とを備えたアルバムである。上記台紙１３上には、剥離可能な保護紙１５で被覆された再貼着可能な貼着部１６を有する。
従って、本実施の形態に係るアルバム１０において写真を貼り付ける場合には、貼着部１６を被覆している保護紙１５を剥がしてから、図２に示すように、台紙１３の縦方向の長さ半分の長さより若干短い長さを長方形の縦の一辺とし、台紙１３の横方向の長さより若干短い長さを長方形の横の一辺とする長方形の貼着部であって、例えば、Ｌ判写真サイズよりやや小さい台紙１３上の上下２箇所に設けられている貼着部の１つに、Ｌ判サイズの写真１７を１枚貼り付けることができる。
【００１４】
また、アルバム１０の台紙１３上の上下２箇所に設けられている貼着部の２つを利用して、この場合であるなら、２Ｌ判サイズの写真１８を１枚貼り付けることができる。
保護紙１５は、貼着部を被覆しているため剥がす必要があるが、従来のアルバムのように、写真保護用シートは存在しないため、写真保護用シートを剥がしたり貼り付けたりする必要はない。
【００１５】
さらに、図３に示すように、写真を貼り付けて完成したアルバムを再編集する場合には、剥離可能であって、再貼着可能な貼着部を有するので、例えば、Ｌ判サイズの写真を台紙１３の上下２箇所の貼着部夫々に貼り付けて完成したアルバムのＬ判サイズの写真１７を別のＬ判サイズの写真に貼り替えたり、２Ｌ判サイズの写真を台紙１３の上下２箇所の貼着部に亘って貼り付けて完成したアルバムの２Ｌ判サイズの写真１８を別のＬ判サイズの写真２枚に貼り替えることが可能である。
【００１６】
また、本実施の形態においては記載されていないが、他の実施の形態としては、例えば、台紙の貼着部を分割することによって、名刺サイズの写真を複数枚貼り付けたり、Ａ４サイズの写真とＡ５サイズの写真とを共用できるようにすることが可能な貼着部を複数有するアルバムとすることもできる。
【産業上の利用可能性】
【００１７】
本考案は、広くアルバムに適用することができる。
【図面の簡単な説明】
【００１８】
【図１】本考案に係るアルバムの一実施の形態を示す斜視図である。
【図２】本考案に係るアルバムの一実施の形態を示す写真を貼り付ける際の斜視図である。
【図３】本考案に係るアルバムの一実施の形態を示す写真を貼り付けた状態の斜視図である。
【符号の説明】
【００１９】
１０  アルバム
１１  表紙
１２  裏表紙
１３  台紙
１４  背表紙
１５  保護紙
１６  貼着部
１７  Ｌ判サイズ写真
１８  ２Ｌ判サイズ写真
【図１】
0003130788.tif 000003
【図２】
0003130788.tif 000004
【図３】
0003130788.tif 000005